(57)【要約】【課題】  犬や猫などのペットを散歩に連れ出す際に着用させる着用具であって、夜間暗闇の中を歩いても交通事故に合わないようにしたペット用安全具の提供。【解決手段】  着用具は概略長方形の布生地であって、前側中央部には２個の脚穴３，３を貫通し、両側縁部には粘着テープ４ａ、４ｂ、５ａ，５ｂ・・などの締結手段を設け、そして上記布生地は蓄光顔料を含有した繊維から成る糸を少なくとも一部に用いて織編みしている。【選択図】    図２
0003116743.tif 000002
【実用新案登録請求の範囲】
【請求項１】
犬や猫などのペットを散歩に連れ出す際に着用させる着用具であって、該着用具は蓄光顔料を含有した繊維から成る糸を少なくとも一部に用いて織編みしたことを特徴とするペット用安全具。
【請求項２】
犬や猫などのペットを散歩に連れ出す際に着用させる着用具であって、該着用具は概略長方形の布生地であって、前側中央部には２個の脚足を貫通し、両側縁部には粘着テープなどの締結手段を設け、そして上記布生地は蓄光顔料を含有した繊維から成る糸を少なくとも一部に用いて織編みしたことを特徴とするペット用安全具。
【請求項３】
犬や猫などのペットを散歩に連れ出す際に着用させる着用具であって、該着用具は蓄光顔料を含有した繊維から成る糸を少なくとも一部に用いて織編みし、そして首に取付けた首輪には蓄光顔料を含有した繊維から成る糸を少なくとも一部に用いて編成したロープを連結したことを特徴とするペット用安全具。
【請求項４】
ポリエステル製マルチフィラメントに蓄光顔料を８％含有した請求項１、請求項２、又は請求項３記載のペット用安全具。
【請求項５】
ポリエステル製ステープルファイバーに蓄光顔料を１０％含有した請求項１、請求項２、又は請求項３記載のペット用安全具。
【考案の詳細な説明】
【技術分野】
【０００１】
本考案は犬や猫などのペットが夜間散歩中に交通事故に遭遇しないようにする安全具に関するものである。
【背景技術】
【０００２】
近年はペットブームであって、多くの家庭で犬や猫を飼っている場合が多く、内閣府の調べによると人口１００万以上の大都市では約３０％、人口１５万以上で１００万未満の中都市では約３４％、人口５万以上で１５万未満の小都市では約３８％、さらに町村では約４７％がペットを飼育している。
【０００３】
そして、これらペットに費やされる費用も高くなっている。購入時の平均価格は、犬が１２万円以上、猫が７万円以上となり、そして１ヶ月当りのフード平均支出額は犬が５６００円程度、猫が６３００円程度となっていて、家計支出に対する大きな割合を占めるようになっている。このようなことから、ペットに対する愛情も高く、子供がいない家庭は勿論であるが、子供が大きく成長した後は、わが子のように可愛がっている。
【０００４】
従って、早朝又は夕方にペットを連れて散歩に出かけるケースは多く見受けられ、同じく公園などでもペットを遊ばしている光景を見受ける。ところで、ペットを夜間の散歩中に交通事故に遭遇するケースが多発しており、このことはペット及びその飼主は勿論のこと、車の運転手にとっても大きな問題となっている。夜間において、車の運転手にとって比較的小さいペットの存在を確認することは容易でなく、急に車道側へ飛び出すことがある。勿論、ペットの存在を確認している場合であるならば、近くを走向する運転手はそれなりの注意を払うことが出来るが、存在が分からない限り無理である。
【０００５】
ところで、ペットの存在を運転手が確認し易いように工夫した考案も色々知られている。例えば、実用新案登録第３０８７５５４号に係る「交通安全等用のＬＥＤ発行プレート」は、布、皮、その他任意の柔軟な素材、又はプラスチック、ゴム、金属その他任意の硬質な素材を持って、帯状、長円形、その他任意の形状に形成し、それを積層一体化したものの積層間に１個以上のＬＥＤ、電池、ＬＳＩ、スイッチを回路を形成設置して発光プレートを設け、発光プレートをテープファスナー若しくは締結金具など付きのバンド、その他の取付け手段でペットの首輪、自転車、衣服、その他の対象物に着脱自在に取付け、又は縫着、接着、ネジ止め、カシメ止め、その他任意の固着手段で対象物に固着するように備えている。
【０００６】
このＬＥＤ発光プレートは、基本的に首輪としてペットに装着されるが、ペットの向きによっては存在が分かり難く、又製作コストは高くなる。一方、上記電子部品を装着している為に非常に重い首輪となり、小さなペットにとっては負担となる。
【０００７】
実用新案登録第３０４１７８８号に係る「犬、猫などのペット用安全首輪」は、通行人や車のドライバーから存在が認知できるように、首輪の表革部と裏革部の間に蛍光シールを挟み、表革部分を適宜の形状にくり抜き、蛍光部分を露出させることで発光させる構造と成っている。この首輪の場合もペットの向きによってはドライバーにとって分かり難く、しかも蛍光シールである為に車のライトが当らない限り発光しない為に、存在に気が付くことが遅れることが多い。
【特許文献１】実用新案登録第３０８７５５４号に係る「交通安全等用のＬＥＤ発行プレート」
【特許文献２】実用新案登録第３０４１７８８号に係る「犬、猫などのペット用安全首輪」
【考案の開示】
【考案が解決しようとする課題】
【０００８】
このようにペット安全具は色々知られているが、上記のごとき問題がある。本考案が解決しようとする課題はこれら問題点であり、光が当たらなくても長時間にわたって発光することが出来るペット用安全具を提供する。
【課題を解決するための手段】
【０００９】
本発明に係るペット用安全具はペットが着用する着用着であり、又ペットを連れ歩く際のロープである。そして、これら着用具及びロープは暗闇になると発光することが出来るように蓄光繊維で構成している。蓄光とは昼の明るい間に光を蓄え、暗くなったところで光を放つことが出来る性質であり、本発明は蓄光顔料を繊維に含浸している。
【００１０】
本発明のペット用安全具は上記蓄光顔料を含浸した繊維から成る糸を少なくとも一部に用いて織編みしたものである。従って、該繊維から成る糸を使用して織編みしても織機や編機を損傷することはなく、又織編み生地は洗濯にも強い。ところで、着用具はペットの胴体をカバーすることが出来る形態とするが、具体的な形態は限定しない。
【考案の効果】
【００１１】
本考案のペット用安全具は蓄光顔料を含浸した繊維を使用して織編みした生地が用いられ、該生地で縫製した着用具をペットに着用して夜間に散歩に出かける場合、着用具が発光する為に交通事故に遭う危険を防止できる。該着用具は蓄光繊維が用いられている為に、暗闇の中で蛍光を発することが出来、車のライトが当らなくても遠くに居るペットを確認することが可能と成る。又、着用具に限らず、ロープを蓄光繊維で構成する場合も同じであり、該ロープから蛍光が発せられてペットの存在が確認される。
【実施例】
【００１２】
図１は犬１に着用具２を着用した場合の具体例であり、該着用具２は犬の胴部を被覆した形態と成っている。該着用具２は布生地で構成され、着用状態で位置ズレしないように前足が嵌る脚穴３，３を形成している。図２は上記着用具を単独で表しているが、犬に着用し易いように粘着テープで両側縁を連結できるようになっている。
【００１３】
着用具２は概略長方形をした布生地であり、使用される糸の繊維は蓄光顔料を含浸したものであって、例えばポリエステル製マルチフィラメントに蓄光顔料８％を含有したり、又はポリエステル製ステープルファイバーに蓄光顔料１０％を含有した繊維から成る糸を使用することが出来る。図３はポリエステル製マルチフィラメントに蓄光顔料８％を含有した蓄光繊維の輝度と残光時間の関係を表している。
【００１４】
上記ポリエステル製マルチフィラメントに蓄光顔料８％を含有した蓄光繊維を２４時間にわたって光を遮断した状態に置き、これを１５Ｗの卓上蛍光灯にて２０分間垂直照射する。この時の温度は２５℃、湿度は６５％である。同図から明らかなように、照射後約１時間は輝度が急激に低下するが、それ以降の輝度低下は小さくて長時間にわたって光を放つことが出来る。
【００１５】
ところで、前記図２に示す着用具２は前方側に２個の脚穴３，３が貫通して設けられ、脚穴３，３には犬の前脚を挿入して着用する。そして、両側部には粘着テープ(マジックテープ)が縫い付けられ、図１のように着用してところで、粘着テープ４ａは粘着テープ４ｂと面接して固着され、同じく粘着テープ５ａは粘着テープ５ｂと、粘着テープ６ａは粘着テープ６ｂと互いに面接して固着する。
【００１６】
本考案の着用具は少なくともその一部に蓄光繊維で構成した糸が使用されることで、該着用具は夜間においても光を放つことが出来る。従って車のドライバーは遠くからその光を認知することが可能と成る。勿論、車のヘッドライトの光が当たらなくても着用具自らが発光する。
【００１７】
一方、本考案のペット用安全具の別形態としてロープを対象としている。該ロープは蓄光繊維で構成した糸が用いられて編成されている。従って、該ロープからも光を放つことが出来る。ロープは細長く延びる為にドライバーにとって如何なる位置からでも確認し易くなる。
【図面の簡単な説明】
【００１８】
【図１】本考案の着用具を犬に着用させた場合。
【図２】本考案に係る着用具の具体例。
【図３】ポリエステル製マルチフィラメントに蓄光顔料８％を含有した繊維の輝度と残光時間の関係。
【符号の説明】
【００１９】
１  犬
２  着用具
３  脚穴
４  粘着テープ
５  粘着テープ
６  粘着テープ
【図１】
0003116743.tif 000003
【図２】
0003116743.tif 000004
【図３】
0003116743.tif 000005